(57)【要約】【課題】製品の歩留まりその他の不具合要因があっても、前方監視を適切に行うことが可能な車載カメラを提供する。【解決手段】車載カメラ１は、土台部５６を前後方向に動かすことで、イメージャ６をレンズ５０ｃの光軸に沿って移動することができる。また、イメージャ基板５５のネジ孔は、土台部５６のネジ孔よりも径が大きく、ネジ５９の頭部よりも径が小さい大きさに形成されているので、仮止めした状態でも、イメージャ６をレンズ５０ｃの光軸に垂直な面に沿って上下左右に移動することができる。その後、イメージャ６をレンズに５０ｃに固定することができる。従って、車載カメラ１は、歩留まりにより、撮像方向が狙っていた方向からズレてしまう場合であっても、レンズ５０ｃに対するイメージャ６の位置を自在に変更することで、前方監視を適切に行うことができる。【選択図】  図８
2013207571.tif 000002
【特許請求の範囲】
【請求項１】
フロントガラスに貼り付けられたブラケット（３）と、
該ブラケットに固定される車載カメラ本体（５）と、
該車載カメラ本体を形成する筐体内に設置され、前記車載カメラ本体が前記ブラケットに固定されているとき前記フロントガラスを介して車外の風景を撮像できる位置に配置されたレンズ（５０ｃ）と、
該筐体内に設置され、前記レンズを介して車外の風景を撮像するイメージャ（６）と、
前記レンズに対する前記イメージャの位置を、前記レンズを介して車外の風景を撮像できる範囲内で移動させ、前記イメージャを前記移動した後の位置で固定できる固定手段（５５ａ、５６、５６ａ、５６ｃ、５７ａ、５８、５９）と、
を備えることを特徴とする車載カメラ。
【請求項２】
請求項１に記載の車載カメラにおいて、
前記固定手段は、
前記イメージャを、前記レンズの光軸に沿って移動させた位置で固定させる軸方向固定手段（５６、５６ａ、５７ａ、５８）と、
前記イメージャを、前記レンズの光軸に垂直な面に沿って移動させた位置で固定させる面方向固定手段（５５ａ、５６、５６ｃ、５９）と
を備えることを特徴とする車載カメラ。
【請求項３】
請求項１に記載の車載カメラにおいて、
前記固定手段は、
前記イメージャを、前記レンズの光軸に沿って移動させた位置で固定させる軸方向固定手段（５６、５６ａ、５７ａ、５８）
を備えることを特徴とする車載カメラ。
【請求項４】
請求項１に記載の車載カメラにおいて、
前記固定手段は、
前記イメージャを、前記レンズの光軸に垂直な面に沿って移動させた位置で固定させる面方向固定手段（５５ａ、５６、５６ｃ、５９）
を備えることを特徴とする車載カメラ。
【請求項５】
請求項２，４のいずれか１項に記載の車載カメラにおいて、
面方向固定手段は、
前記イメージャを備える基板を固定する土台部（５６）と、
前記イメージャを前記土台部に固定するため、軸部と、この軸部よりも径が大きい頭部とからなるネジ（５９）と、
を備え、
前記土台部には、
前記ネジの前記軸部が螺入される第１ネジ孔（５６ｃ）が形成され、
前記基板には、
前記頭部の径が小さく、前記軸部よりも径が大きい第２ネジ孔（５５ａ）が形成されていることを特徴とする車載カメラ。
【請求項６】
請求項２，３のいずれか１項に記載の車載カメラにおいて、
前記軸方向固定手段は、
前記イメージャを固定する土台部（５６）と、
前記レンズの光軸に沿って前記土台部をスライドさせるスライド部（５６ａ，５７ａ）と、
該スライド部によりスライドした前記土台部を固定する固定部（５８）と
を備えることを特徴とする車載カメラ。
【発明の詳細な説明】
【技術分野】
【０００１】
本発明は、車両の前方監視などを行う車載カメラに関する。
【背景技術】
【０００２】
従来の前方監視用の車載カメラは複数のヒンジ部を備える脚部（ヒンジ装置）を備え、この脚部の一端が車体に固定され、他端に車載カメラを備える構造を有しており、この脚部を自在に曲げることにより、車載カメラの撮像方向を調整している（特許文献１）。
【０００３】
しかし、特に前方監視用の車載カメラの場合、上記のような構造を採用すると、脚部を備えることに伴って装置が大型化し、その大型化によりドライバの視野を遮る面積が拡がる可能性がある。
【０００４】
そのため、前方監視用の車載カメラの場合、ドライバの視野を遮ることがない全体の大きさや取付位置が予め設定され、その取付位置にまずブラケットを貼り付け、このブラケットに車載カメラ本体が固定される方法が採用されている。
【先行技術文献】
【特許文献】
【０００５】
【特許文献１】米国特許出願公開第２００３／０２１０３２８号明細書
【発明の概要】
【発明が解決しようとする課題】
【０００６】
しかし、ブラケットの取り付け位置等をいくら正確に決めても、製品の歩留まりその他の不具合要因により、狙っていた撮像方向に対して実際の撮像方向がズレてしまうことがある。
【０００７】
このようなズレが生じると、車載カメラが正確に設置されたものとして、この車載カメラで撮像した画像を用いて前方監視を行った場合、そのズレの分だけ、前方監視の正確性が損なわれる可能性がある。
【０００８】
そこで、本発明は、上記点に鑑み、製品の歩留まりその他の不具合要因があっても、前方監視を適切に行うことが可能な車載カメラを提供することを目的とする。
【課題を解決するための手段】
【０００９】
本発明の車載カメラは、フロントガラスに貼り付けられたブラケット（３）と、このブラケットに固定される車載カメラ本体（５）と、この車載カメラ本体を形成する筐体内に設置され、車載カメラ本体がブラケットに固定されているときフロントガラスを介して車外の風景を撮像可能な位置に配置されたレンズ（５０ｃ）とを備えている。
【００１０】
そして、本発明の車載カメラはさらに、筐体内に設置され、レンズを介して車外の風景を撮像するイメージャ（６）と、レンズに対するイメージャの位置を、レンズを介して車外の風景を撮像できる範囲内で移動させ、イメージャを移動した後の位置で固定可能な固定手段（５５ａ、５６、５６ａ、５６ｃ、５７ａ、５８、５９）と、を備えている。
【００１１】
このため、本発明の車載カメラは、車載カメラに歩留まり等があっても、レンズに対するイメージャの位置を変更することで、撮像方向が狙っていた方向からズレてしまったとしても、そのズレを修正することができる。
【００１２】
従って、本発明の車載カメラを用いると、製品の歩留まり等があっても、前方監視を適切に行うことができる。
ところで、歩留まりには多様な形態があるので、上述の固定手段については、請求項２に記載したように、イメージャを、レンズの光軸に沿って移動させた位置で固定させる軸方向固定手段（５６、５６ａ、５７ａ、５８）と、イメージャを、レンズの光軸に垂直な面に沿って移動させた位置で固定させる面方向固定手段（５５ａ、５６、５６ｃ、５９）とを備える構造とするとよい。
【００１３】
これら軸方向固定手段及び面方向固定手段の２つを備えれば、どのような方向に歩留まりが生じても、撮像方向を狙った方向に設定することができる。
また、製品の歩留まりがレンズの光軸に沿った方向にしか生じない場合、請求項３に記載したように、固定手段については、イメージャを、レンズの光軸に沿って移動させた位置で固定させる軸方向固定手段（５６、５６ａ、５７ａ、５８）のみを備える簡易な構成としてもよいし、製品の歩留まりがレンズの光軸に垂直な方向にしか生じない場合、請求項４に記載したように、イメージャを、レンズの光軸に垂直な面に沿って移動させた位置で固定させる面方向固定手段（５５ａ、５６、５６ｃ、５９）のみを備える簡易な構成としてもよい。
【００１４】
次に、請求項５に記載したように、請求項２，４のいずれか１項に記載の車載カメラが備える面方向固定手段（５６）については、イメージャを備える基板を固定する土台部と、イメージャを土台部に固定するため、軸部と、この軸部よりも径が大きい頭部とからなるネジ（５９）と、を備える構造としてもよい。
【００１５】
そして、土台部には、ネジの軸部が螺入される第１ネジ孔（５６ｃ）を形成し、基板には、頭部よりも径が小さく、軸部よりも径が大きい第２ネジ孔（５５ａ）を形成する構造としてもよい。
【００１６】
このように構成した面方向固定手段を用いて、イメージャの位置をレンズの光軸に垂直な面方向に移動させて適切な位置に固定するには、まず第２ネジ孔にネジの軸部を通し、ネジの頭部と土台との間に基板が挟まれない位置まで第１ネジ孔にネジの軸部を螺入させる。
【００１７】
このとき、イメージャは、第２ネジ孔内で軸部が移動できる範囲内で、レンズの光軸に垂直な方向に自由に移動できるので、イメージャを適切な位置に移動する。
そして、このように移動した後、ネジをさらに締め付けて基板を土台に固定する。このとき、第２ネジ孔の径がネジの頭部の径よりも小さいので、ネジにより基板を土台部に確実に固定できる。
【００１８】
従って、本発明の面方向固定手段を備えると、イメージャの位置をレンズの光軸に垂直方向に適宜変更して、レンズに対するイメージャの位置を適切な位置で固定することができる。
【００１９】
次に、請求項６に記載したように、請求項２，３のいずれか１項に記載の車載カメラにおいて、軸方向固定手段については、イメージャを固定する土台部（５６）と、レンズの光軸に沿って土台部をスライドさせるスライド部（５６ａ，５７ａ）と、スライド部によりスライドした土台部を固定する固定部（５８）とを備える構造としてもよい。
【００２０】
このようにすると、イメージャの位置をレンズの光軸に沿って移動させて適切な位置に固定したい場合、イメージャを固定する土台部をスライド部によりレンズの光軸に沿ってスライドさせ、適当な位置までスライドさせたらスライドした土台部を固定部を用いて固定させる。
【００２１】
従って、本発明の軸方向固定手段を備えると、レンズの光軸に沿った方向に、イメージャの位置を適宜変更して、その位置で固定することができる。
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００２２】
【図１】本実施形態の車載カメラを斜め上方から見た斜視図である。
【図２】本実施形態の車載カメラを構成するブラケットを三角図法で記載した説明図で、（ａ）は平面図、（ｂ）は右側面図、（ｃ）は下面図である。
【図３】本実施形態の車載カメラの分解斜視図である。
【図４】（ａ）図３に示した車載カメラのＡ−Ａ’断面図である。（ｂ）本実施形態の車載カメラ本体の背面部分を切り取って後方側から前方側をみた背面図である。
【図５】（ａ）土台部を後方側からみた正面図である。（ｂ）（ａ）のＢ−Ｂ’断面図である。（ｃ）イメージャ基板を外した土台部を後方側からみた正面図である。（ｄ）イメージャを後方側からみた正面図である。（ｅ）ネジの平面図である。（ｆ）ネジの側面図である。（ｇ）（ａ）のＣ−Ｃ’断面図である。
【図６】本実施形態の車載カメラを斜め下方から見た斜視図である。
【図７】本実施形態の車載カメラで車両の前方を撮像するイメージを示す模式図である。
【図８】（ａ）（ｂ）土台部を後方側からみた正面図で、イメージャ基板を動かす様子を、イメージャ等を一部透過図で示した説明図である。（ｃ）イメージャ基板を外した土台部を後方側からみた正面図である。
【発明を実施するための形態】
【００２３】
以下に本発明の実施形態を図面と共に説明する。
尚、本実施形態の車載カメラは、車両の前方を撮像するものであるので、以下では、車両の前方を撮像するため予め定められたフロントガラス上の正位置に取り付けられたとき、車両の前方を向く方向を前方として説明する。
【００２４】
また、以下の説明で用いられる後方、右方、左方、上方、下方とは、前方側を正面とした場合の三角図法に従った方向で、平面図、背面図等の説明も三角図法に従っている。
［全体構造］
本実施形態の車載カメラは１、図１に示すように、フロントガラスの車内側に貼り付けて固定されるブラケット３と、筐体内に撮像素子等を収納した車載カメラ本体５とを備えている。
【００２５】
［ブラケット］
ブラケット３は、図１及び図２（ａ）に示すように、フロントガラスに貼り付けられる貼付部３０を備えている。
【００２６】
この貼付部３０のうちフロントガラスに貼り付けられる貼付面３０ａは、このブラケット３が貼り付けられる部分のフロントガラスのガラス面に沿った平面形状に形成されている。
【００２７】
また、貼付部３０には、ブラケット３に車載カメラ本体５を取り付けたとき、後述する窪み５０ａに対向する部分を含む窪み５０ａよりもやや広い部分を切り欠いた切欠部３０ｂが形成されている。
【００２８】
また、ブラケット３は、この切欠部３０ｂの右側に位置する貼付部３０の前方側の端部から下方に向かって折り曲げられた前方側端部３１と、貼付部３０の後方側の端部から下方に向かって折り曲げられた後方側端部３２とを有している。
【００２９】
そして、この前方側端部３１には、後述する、車載カメラ本体５の前方側側面に設けられた係合突起５１ａが嵌挿される係合孔３１ａが形成されている。
また、ブラケット３は、図１及び図２（ｂ）（ｃ）に示すように、貼付部３０の右側及び左側の側面から貼付部３０に対して垂直に折り曲げられ、貼付面３０ａに沿って前方側に向かって鈎の先端が向けられた一対の鈎状部３３が、前後方向の中央よりやや後方側に寄った位置に設けられている。
【００３０】
これら鈎状部３３は、貼付部３０から下方に向かって突出した根本部３３ａと、この根本部３３ａの下端から貼付面３０ａに沿って前方側に向かって延出された引掛部３３ｂとで形成されており、引掛部３３ｂの長さは、後述する係合突起５１ａよりも長尺に形成されている。
【００３１】
また、後方側端部３２の内側面（前方側の側面）には、板バネ３４が設けられている。
［車載カメラ本体］
車載カメラ本体５は、図３に示すように、前方側から後方側に上方に向かって傾斜した上面５０を有する略箱形形状に形成されている。
【００３２】
また、この車載カメラ本体５の上面５０には、平面図でみたとき、前方左側の端部を下辺とし後方側に向かって左右方向の幅が狭くなる台形状の窪み５０ａを有する。
この窪み５０ａは後方に向かうほど窪みが深くなるように形成されており、この結果、窪み５０ａの上辺側には壁面５０ｂが形成され、この壁面５０ｂには、カメラ用のレンズ５０ｃが取り付けられる。
【００３３】
また、車載カメラ本体５は、前方側の側面５１のうち右側の端部近傍に、この車載カメラ本体５をブラケット３に取り付けるときに、前述した係合孔３１ａに嵌挿される係合突起５１ａを備えている。
【００３４】
また、この車載カメラ本体５は、左右の側面５２から突設され、ブラケット３に取り付けられるときに、鈎状部３３に引っ掛けられるボス５２ａを備えている。
このボス５２ａは、側面から車載カメラ本体５を見たとき、係合突起５１ａの先端からみて、前方側端部３１から根本部３３ａまでの距離よりも短く引掛部３３ｂの前方側先端までの距離も長い距離となる位置に設置されている。
【００３５】
［車載カメラ本体の内部構造］
次に、この車載カメラ本体５の内部構造について説明する。
この車載カメラ本体５の内部には、図４に示すように、イメージャ６を備えるイメージャ基板５５と、このイメージャ基板５５を固定する土台部５６とを備えている。
【００３６】
また、車載カメラ本体５の内部には、土台部５６を、レンズ５０ｃの光軸に沿ってスライドさせる溝状のレール５７ａを備えるレール土台部５７が土台部５６の左右に設置されており、土台部５６の左右には、レール５７ａとかみ合う凸部５６ａが形成されている。
【００３７】
本実施形態では、レール５７ａに凸部５６ａがかみ合わされて、土台部５６がレール土台部５７に対して前後方向にスライドするよう車載カメラ本体５内に配置されている。
さらに、土台部５６は、その背面から後方側に向かって突出するネジ部５８ａと、このネジ部５８ａを回転させると左右方向に移動する、先端が三角錐状に形成された突張部材５８ｂとを備える固定部材５８を備えている。
【００３８】
本実施形態では、土台部５６をレール５７ａに沿って移動させ、固定部材５８のネジ部５８ａを回転して突張部材５８ｂの先端を車載カメラ本体５の内面に当接させて、その先端をレール土台部５７に突き刺すと、土台部５６がその位置で固定される（図８（ｃ）参照）。
【００３９】
また、土台部５６には、図５（ｂ）（ｃ）に示すように、レンズ５０ｃから車載カメラ本体５内に入る光を受ける位置に孔部５６ｂが形成されており、この孔部５６ｂを介してレンズ５０ｃとイメージャ６とが対向して配置されるように、イメージャ基板５５が土台部５６の背面に配置される。
【００４０】
そして、土台部５６には、このイメージャ基板５５を固定するネジ５９の軸部５９ａを螺入する一対のネジ孔５６ｃを備えており、また、イメージャ基板５５には、図５（ｄ）に示すように、土台部５６の背面に設置されたときに、ネジ孔５６ｃと対向する位置に設けられたネジ孔５５ａが形成されている。
【００４１】
また、イメージャ基板５５を土台部５６に固定するために用いられるネジ５９は、図５（ｆ）に示すように、ネジ孔５６ｃに螺入される軸部５９ａと、頭部５９ｂとからなり、前述したイメージャ基板５５に設けられたネジ孔５５ａは、図５（ｅ）に示すように、土台部５６に設けられたネジ孔５６ｃよりも径が大きく、ネジ５９の頭部５９ｂよりも小さい径で形成されている。
【００４２】
尚、孔部５６ｂの大きさは、イメージャ６がレンズ５０ｃを介して車両前方の風景を撮影可能な範囲内に配置される必要があるので、イメージャ６を移動することができる最大範囲を示す大きさに形成されていてもよい。
【００４３】
［取り付け工程について］
以上のように構成された車載カメラ１を、車両の製造工程においてフロントガラスに取り付ける工程について説明する。
【００４４】
本実施形態の車載カメラ１は、車両の前方を撮像し、その位置から見た車線の位置、対向車のヘッドライトの点灯の有無等を正確に検出するためのものであるため、このような検出に耐えうるよう、フロントガラスに対して正確に取り付けられる必要がある。
【００４５】
そのため、ブラケット３については、車両の組立ラインに載せる前のフロントガラスを製造した段階で、上述した検出に耐えうる位置に予め正確に貼り付けられる。
この貼り付けは、ブラケット３の貼付面３０ａに接着剤を塗布し、フロントガラスに貼り付ける形で行われる。
【００４６】
そして、車載カメラ本体５は、車両の組立ラインにおいて、フロントガラスを車体に接着剤で取り付けた後、その接着剤が乾く前にブラケット３に取り付けられる。
この車載カメラ本体５のブラケット３への取り付けは、まず、各ボス５２ａを各鈎状部３３に引っ掛かながら、フロントガラスのガラス面に沿って下方から斜め後方側上方にスライドさせる作業が行われる。
【００４７】
このスライド作業を行うと、まず、車載カメラ本体５の背面がやがて板バネ３４に接触して、板バネ３４が押されて弾性変形する。
やがて各ボス５２ａが各鈎状部３３の根本部３３ａに当接すると、本実施形態では、ボス５２ａが、係合突起５１ａの前方側の先端からみて、鈎状部３３の根本部３３ａから前方側端部３１までの距離よりも短い距離となる位置に設置されているので、係合突起５１ａが係合孔３１ａに嵌挿するように車載カメラ本体５をブラケット３に対して配置することができる。
【００４８】
そして、このように配置した後に、上記作業のため車載カメラ本体５を支えていた手を離すと車載カメラ本体５が前方側にやや戻るとともに、この動きに合わせて係合突起５１ａが係合孔３１ａに嵌挿される。尚、このとき、鈎状部３３の引掛部３３ｂが、係合突起５１ａよりも長尺に形成されているので、ボス５２ａが鈎状部３３から外れることはない。
【００４９】
このようにすると、図６に示すように、車載カメラ本体５が板バネ３４に付勢されて係合突起５１ａが係合孔３１ａに挿入されつつ前方側端部３１に当接され、また、車載カメラ本体５の上面５０も、貼付部３０の裏面（車載カメラ本体５と対抗する側の面）と当接することによって、車載カメラ本体５はブラケット３に押しつけられて固定される。
【００５０】
［調整工程について］
次に、レンズ５０ｃに対してイメージャの位置を調整する調整工程について説明する。
本実施形態の車載カメラ１は、図７に示すように、レンズ５０ｃから一定の画角で車両の前方の車外の風景を撮像し、車両から予め定められた距離だけ離れた路面上のある撮像ポイントが撮像できるようにレンズ５０ｃの位置が調整される。
【００５１】
まず、レンズ５０ｃに対して、レンズ５０ｃの光軸に沿ってイメージャを移動させた後、固定する工程について説明する。
本実施形態の車載カメラ１は、前述したように、土台部５６を前後方向に動かすことで、イメージャ６をレンズ５０ｃに対して、レンズ５０ｃの光軸に沿って移動することができる。（図４参照）
そのため、レンズ５０ｃの光軸に沿ってイメージャを移動させる場合、この土台部５６を前後方向に動かして、レンズ５０ｃに対するイメージャ６の前後位置を決定する。
【００５２】
この前後位置が決定したら、ネジ部５８ａをドライバ等を使って回転させ、各突張部材５８ｂを左右に移動させて、図８（ｃ）に示すように、各突張部材５８ｂの先端をレール土台部５７に突き刺す。
【００５３】
すると、土台部５６がレール土台部５７、ひいては、車載カメラ本体５に固定され、レンズ５０ｃに対するイメージャ６の前後方向の位置が固定される。
次に、レンズ５０ｃに対して、レンズ５０ｃの光軸に垂直な方向に沿ってイメージャ６を移動させた後、固定する工程について説明する。
【００５４】
図５（ｅ）に示すように、イメージャ基板５５に設けられたネジ孔５５ａは、土台部材に設けられたネジ孔５６ｃよりも径が大きく、ネジ５９の頭部５９ｂよりも径が小さい大きさに形成されており、また、孔部５６ｂもイメージャ６より大きい形状に形成されている。
【００５５】
そのため、図８（ａ）（ｂ）に示すように、ネジ５９の頭部５９ｂと土台部５６との間にイメージャ基板５５が挟まれない位置まで、ネジ孔５６ｃにネジ５９の軸部５９ａを通し、ネジ孔５６ｃにネジ５９の軸部５９ａを螺入させて仮止めしておけば、その状態で、イメージャ基板５５をレンズ５０ｃの光軸に垂直な面に沿って上下左右に移動することができる。
【００５６】
つまり、レンズ５０ｃの光軸に垂直な面に沿ってイメージャ６を移動させる場合、このイメージャ基板５５を土台部５６に対して上下左右に動かし、レンズ５０ｃに対するイメージャ６の上下左右方向の位置を決定する。
【００５７】
この上下左右方向の位置が決定したら、ネジ５９をドライバを使って回転させて、ネジ孔５６ｃに軸部５９ａをさらに螺入させ、イメージャ基板５５を土台部５６に固定する。
すると、イメージャ基板５５が土台部５６、レール土台部５７を介して車載カメラ本体５に固定され、レンズ５０ｃに対してイメージャ６が固定される。
【００５８】
［本実施形態の特徴的な効果等］
本実施形態の車載カメラ１は、フロントガラスに予め取り付けられたブラケット３が備える鈎状部３３に車載カメラ本体５のボス５２ａを引っ掛けて、板バネ３４を弾性変形させ、さらに係合突起５１ａが係合孔３１ａに嵌挿する位置に配置し、車載カメラ本体５を支えていた手を離すと、板バネ３４が車載カメラ本体５をブラケット３の前方側端部３１と貼付部３０に当接させて固定する。
【００５９】
そのため、本実施形態では、車載カメラ本体５をブラケット３に取り付けるため、ブラケット３を工具等で強く押すことによって、フロントガラスが車両から外れてしまったり、あるいは、工具でフロントガラスを傷つけてしまうことなく、車載カメラ本体５をフロントガラスに取り付けることができる。
【００６０】
また、本実施形態の車載カメラ１は、板バネ３４が車載カメラ本体５をブラケット３に押し付けて固定しているので、公差によって車載カメラ本体５がブラケット３に対してガタツクという問題が生じ得ない。
【００６１】
そのため、本実施形態の車載カメラ１では、車載カメラ本体５をフロントガラスに確実に固定することができる。
また、本実施形態の車載カメラ１は、車載カメラ本体５がボス５２ａを介して鈎状部３３に引っ掛けられるとともに係合突起５１ａが係合孔３１ａに係合し、さらに車載カメラ本体５がブラケット３の前方側端部３１に押し付けられるので、車載カメラ本体５をブラケット３に確実に固定することができる。
【００６２】
また、本実施形態の車載カメラ１は、上述のように車載カメラ本体５をブラケット３に確実に固定できるが、歩留まりその他の不具合要因のため、レンズ５０ｃに対するイメージャ６の位置を調整していないときは、撮像方向が狙っていた方向からズレてしまう場合がある。
【００６３】
しかし、本実施形態の車載カメラ１は、レンズ５０ｃに対してイメージャ６の位置を自在に変更することができるので、そのズレを適宜修正することができる。
従って、本実施形態の車載カメラ１を用いると、製品の歩留まりその他の不具合要因があっても、前方監視を適切に行うことができる。
【００６４】
［その他の実施形態］
上記実施形態では、レンズ５０ｃの光軸に沿った前後方向、この光軸に垂直な上下左右方向のいずれにも移動することができるよう構成したが、製品の歩留まり等の状況によっては、前後方向又は上下左右方向のいずれかだけに移動できるよう構成してもよい。
【００６５】
このようにすれば、車載カメラ１の構造をシンプルなものとすることができる。
［対応関係］
本実施形態のネジ孔５５ａ、土台部５６、凸部５６ａ、ネジ孔５６ｃ、レール５７ａ、固定部材５８、ネジ５９は、本発明の固定手段に相当する。
【００６６】
本実施形態の土台部５６、凸部５６ａ、レール５７ａ、固定部材５８は、本発明の軸方向固定手段に相当する。
本実施形態のネジ孔５５ａ、土台部５６、ネジ孔５６ｃ、ネジ５９は、本発明の面方向固定手段に相当する。
【００６７】
本実施形態のネジ孔５６ｃは本発明の第１ネジ孔に相当し、ネジ孔５５ａは第２ネジ孔に相当する。
本実施形態の凸部５６ａ、レール５７ａが本発明のスライド部に相当し、固定部材５８が固定部に相当する。
【００６８】
尚、本発明は、特許請求の範囲に記載された発明の趣旨に合致するものであればよく、上述の実施形態に限定されるものではない。
【符号の説明】
【００６９】
１…車載カメラ  ３… ブラケット  ５… 車載カメラ本体  ６… イメージャ
３０… 貼付部  ３０ａ… 貼付面  ３０ｂ… 切欠部  ３１… 前方側端部
３１ａ… 係合孔  ３２… 後方側端部  ３３… 鈎状部  ３３ａ… 根本部
３３ｂ… 引掛部  ３４… 板バネ  ５０… 上面  ５０ｂ… 壁面  ５０ｃ… レンズ
５１ａ… 係合突起  ５１… 側面  ５２… 側面  ５２ａ… ボス
５５… イメージャ基板  ５５ａ… ネジ孔  ５６… 土台部  ５６ａ… 凸部
５６ｂ… 孔部  ５６ｃ… ネジ孔  ５７ａ… レール  ５７… レール土台部
５８… 固定部材  ５８ａ… ネジ部  ５８ｂ… 突張部材  ５９… ネジ
５９ａ… 軸部  ５９ｂ… 頭部
【図１】
2013207571.tif 000003
【図２】
2013207571.tif 000004
【図３】
2013207571.tif 000005
【図４】
2013207571.tif 000006
【図５】
2013207571.tif 000007
【図６】
2013207571.tif 000008
【図８】
2013207571.tif 000009
【図７】
2013207571.tif 000010